(57)【要約】【課題】本発明の課題は洗浄力に優れ、かつ拭き取り容易で経時汚染性の小さい住居、調度類等に有用な洗浄剤を提供することにある。【解決手段】親水基を有するビニル単量体の単独重合体もしくは該ビニル単量体と他のビニル単量体との共重合体であって、上記重合体中親水基が３０〜７０質量％含まれており、かつ該重合体の１２０ｐｐｍ水溶液のｐＨが５〜１０である住居用洗浄剤を提供する。上記洗浄剤は洗浄力に優れ、かつ撥水・撥油性にも優れており、経時汚染性が小さく、低発泡性であるから拭き取り、すすぎ性も良い。【特許請求の範囲】
【請求項１】
親水基を有するビニル単量体の単独重合体もしくは該ビニル単量体と他のビニル単量体との共重合体であって、上記重合体中親水基が３０〜７０質量％含まれており、かつ該重合体の１２０ｐｐｍ水溶液のｐＨが５〜１０であることを特徴とする住居用洗浄剤。
【請求項２】
上記親水基はカルボキシル基である請求項１に記載の住居用洗浄剤。
【請求項３】
上記親水基はスルホン酸基である請求項１に記載の住居用洗浄剤。
【請求項４】
上記親水基は第４級アンモニウム塩基である請求項１に記載の住居用洗浄剤。
【請求項５】
上記重合体の質量平均分子量は５００〜５０００００である請求項１〜４に記載の住居用洗浄剤。
【請求項６】
請求項１〜５に記載の洗浄剤に更に界面活性剤あるいは水溶性多糖類および／または水溶性多糖類誘導体を添加したことを特徴とする住居用洗浄剤。
【請求項７】
該水溶性多糖類および／または水溶性多糖類誘導体はシクロデキストリンおよび／またはシクロデキストリン誘導体である請求項６に記載の住居用洗浄剤。
【請求項８】
請求項１〜７に記載の洗浄剤に更に界面活性剤を添加したことを特徴とする住居用洗浄剤。
【請求項９】
請求項１〜８に記載の洗浄剤に更に無機塩を添加したことを特徴とする住居用洗浄剤。
【請求項１０】
該無機塩は硫酸ナトリウムである請求項９に記載の住居用洗浄剤。
【請求項１１】
請求項１〜１０に記載の洗浄剤に更に無機粉末を添加したことを特徴とする住居用洗浄剤。
【請求項１２】
請求項１〜１１に記載の洗浄剤に更に酵素を添加したことを特徴とする住居用洗浄剤。
【請求項１３】
請求項１〜１２に記載の洗浄剤に更に精油を添加したことを特徴とする住居用洗浄剤。
【発明の詳細な説明】
【技術分野】
【０００１】
本発明は、例えば換気扇、調理用器具、浴槽、調度類等の洗浄に使用される住居用洗浄剤に関するものである。
【背景技術】
【０００２】
従来の住居用洗浄剤としては、非イオン界面活性剤に水酸化ナトリウム、水酸化カリウム、リン酸塩、ケイ酸塩等のアルカリ剤を添加したもの（アルカリ洗浄剤）が提供されている（例えば特許文献１〜５参照）。
しかし上記洗浄剤は強アルカリであって、被洗浄物が腐食され易く、また洗浄廃液のアルカリによって環境汚染のおそれがある。
そこでアルカリ剤を使用しない洗浄剤としてアニオン界面活性剤を主成分とするものが提供されている（例えば特許文献６〜８参照）。
【０００３】
【特許文献１】特開平１１−１８１４７５号公報
【特許文献２】特願２００２−３８９２号公報
【特許文献３】特開平３−１００１００号公報
【特許文献４】特開平５−７８６９７号公報
【特許文献５】特開平１−１９８６９９号公報
【特許文献６】特開平６−３３１００号公報
【特許文献７】特開平１１−６１１７９号公報
【特許文献８】特願２０００−１４４１８１号公報
【発明の開示】
【発明が解決しようとする課題】
【０００４】
しかしアニオン界面活性剤を主成分とするものは起泡性があり、洗浄の際に大量の気泡が発生し、また洗浄力に劣ると云う問題がある。
【課題を解決するための手段】
【０００５】
本発明は上記従来の課題を解決するための手段として、親水基を有するビニル単量体の単独重合体もしくは該ビニル単量体と他のビニル単量体との共重合体であって、上記重合体中親水基が３０〜７０質量％含まれており、かつ該重合体の１２０ｐｐｍ水溶液のｐＨが５〜１０である住居用洗浄剤を提供するものである。
上記親水基はカルボキシル基、スルホン酸基あるいは第４級アンモニウム塩基であることが望ましい。
更に上記重合体の質量平均分子量は５００〜５０００００であることが望ましい。
【０００６】
上記住居用洗浄剤には更に水溶性多糖類および／または水溶性多糖類誘導体あるいは界面活性剤が添加されることが望ましく、更には無機塩や無機粉末が添加されることが望ましく、また更には酵素や精油が添加されることが望ましい。
【発明の効果】
【０００７】
本発明においては、起泡性が小さく、また洗浄性、拭き取り性に優れ、撥水・撥油性が大きく、経時汚染性が小さい優れた住居用洗浄剤が提供される。
【発明を実施するための最良の形態】
【０００８】
本発明の洗浄剤は親水基を有するビニル単量体の単独重合体もしくは該ビニル単量体と他のビニル単量体との共重合体を主成分とする。
上記親水基として望ましいものは、カルボキシル基（−ＣＯＯＨ）、スルホン酸基（−ＳＯ3 Ｈ）、第４級アンモニウム塩基（−（ＮＲ3 ）Ｘ  、こゝにＲはアルキル基またはアリール基、Ｘはハロゲン元素）等であるが、それ以外の親水基、例えば酸アミド基、水酸基等も本発明の親水基に包含される。
【０００９】
上記カルボキシル基を有するビニル単量体としては、例えばアクリル酸、メタクリル酸、イタコン酸、クロトン酸、アトロパ酸、シトラコン酸、マレイン酸、フマル酸等のカルボキシル基を一個または二個以上有するα，β不飽和脂肪酸、あるいは無水マレイン酸、無水イタコン酸、無水シトラコン酸等のα，β不飽和脂肪酸無水物が例示される。
【００１０】
上記スルホン酸基を有するビニル単量体としては、例えば２−アクリルアミド２−メチルプロパンスルホン酸、スルホエチルアクリレート、スルホエチルメタクリレート、ビニルスルホン酸等あるいはスチレンスルホン酸、α−メチルスチレンスルホン酸、α−エチルスチレンスルホン酸、α−メチルビニルトルエンスルホン酸等芳香環を有するビニル単量体のスルホン化物がある。
【００１１】
上記第４級アンモニウム塩基を有するビニル単量体としては、ジメチルアミノエチルアクリレート、ジメチルアミノエチルメタクリレート、ジメチルアミノイソプロピルアクリレート、ジメチルアミノイソプロピルメタクリレート等の重合可能な不飽和結合を有する第３級アミンをハロゲン化アルキル、スルホン酸アルキル等のアルキル化剤によって４級化することによって得られる第４級アンモニウム塩基を有するビニル単量体がある。
【００１２】
その他親水基を有するビニル単量体としては、例えばアクリル酸アミド、メタクリル酸アミド、ジアセトンアクリルアミド、β−ヒドロキシエチルアクリレート、β−ヒドロキシエチルメタクリレート、β−ヒドロキシプロピルアクリレート、β−ヒドロキシプロピルメタクリレート等が例示されるが、親水基を含む重合体としては酢酸ビニル重合体をけん化したものであってもよい。
【００１３】
親水基を有するビニル単量体と共重合される他のビニル単量体としては、例えばメチルアクリレート、エチルアクリレート、ｎ−プロピルアクリレート、ｉｓｏ−プロピルアクリレート、ｎ−ブチルアクリレート、ｉｓｏ−ブチルアクリレート、ｔ−ブチルアクリレート、２−エチルヘキシルアクリレート、シクロヘキシルアクリレート、テトラヒドロフルフリルアクリレート、メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、２−エチルヘキシルメタクリレート、シクロヘキシルメタクリレート、テトラヒドロフルフリルメタクリレート、ステアリルメタクリレート、ラウリルメタクリレート等の脂肪族または環式アクリレートおよび／またはメタクリレート、メチルビニルエーテル、エチルビニルエーテル、ｎ−プロピルビニルエーテル、ｎ−ブチルビニルエーテル、ｉｓｏ−ブチルビニルエーテル等のビニルエーテル類、スチレン、α−メチルスチレン等のスチレン類、、アクリロニトリル、メタクリロニトリル等のニトリル系単量体、酢酸ビニル、プロピオン酸ビニル等の脂肪酸ビニル、塩化ビニル、塩化ビニリデン、弗化ビニル、弗化ビニリデン等のハロゲン含有単量体、グリシジルアクリレート、グリシジルメタクリレート、グリシジルアリルエーテル等のエポキシ基含有単量体、その他ビニルピロリドン、ビニルピリジン、ビニルカルバゾール等の水溶性単量体等がある。上記単量体は一種または二種以上混合使用されてもよい。
【００１４】
上記ビニル単量体は通常水溶液重合されるが、エマルジョン重合あるいはメタノール、エタノール、イソプロパノール、アセトン等の水溶性有機溶剤、あるいは上記水溶性有機溶剤と水との混合溶剤中で重合されてもよい。
【００１５】
本発明の洗浄剤としては、上記重合体中に親水基が３０〜７０質量％含まれいることが必要である。親水基が３０質量％に満たない場合には洗浄力が充分でなく、また親水基が７０質量％を越えると泡立ち性が強くなる。
【００１６】
更に上記重合体の１２０ｐｐｍ濃度の水溶液がｐＨが５〜１０、望ましくは６〜９の範囲にすることが必要である。ｐＨ５未満では洗浄力が充分でなく、またｐＨ１０を越えると食品に対する腐食性が強くなる。ｐＨを調節する場合、親水基がカルボキシル基やスルホン酸基の場合には、通常水酸化カリウム、水酸化ナトリウム、炭酸カリウム、炭酸ナトリウム等のアルカリ金属水酸化物または炭酸塩、アンモニア、ジメチルアミン、ジエチルアミン、エタノールアミン等の有機アミン等のアルカリ化合物によって中和することによりｐＨを調節する。また第４級アンモニウム塩の場合には、塩酸、硫酸、酢酸、蓚酸等の酸によってｐＨを調節することもある。
【００１７】
上記重合体の質量平均分子量は望ましくは５００〜５０００００、更に望ましくは２０００〜３０００００である。質量平均分子量が５００未満では洗浄力が充分でなく、また５０００００を越えると粘度が高くなり、スプレー作業性が低下する。
【００１８】
本発明の洗浄剤には水溶性多糖類および／または水溶性多糖類誘導体が添加されてもよい。上記水溶性多糖類および水溶性多糖類誘導体としては、例えばメチルセルロース、エチルセルロース、メトキシセルロース、エトキシセルロース、カルボキシメチルセルロース、カチオン化セルロース等のセルロース誘導体、可溶性デンプン、カチオン化デンプン等のデンプン類、デキストリン、デキストラン、シクロデキストリン、メチル変性シクロデキストリン、ヒドロキシプロピル変性シクロデキストリン等のデキストリン類、カチオン化グアーガム、キサンタンガムカチオン化アラビアガム、カードラン等の水溶性ガム類、アルギン酸ソーダ等が例示される。
上記水溶性多糖類および水溶性多糖類誘導体の中ではシクロデキストリン（ＣＤ）、変性シクロデキストリンが望ましい。シクロデキストリン（ＣＤ）としては、α，β，γいずれのタイプのものも使用される。
【００１９】
上記水溶性多糖類あるいは水溶性多糖類誘導体は、本発明の洗浄剤の洗浄力を向上せしめ、更にシクロデキストリンは洗浄力を向上効果の他、脱臭効果も有する。
【００２０】
上記水溶性多糖類および／または水溶性多糖類誘導体は、通常本発明のビニル重合体または共重合体１００質量部に対して４〜４０質量部程度配合される。
【００２１】
更に本発明の洗浄剤には界面活性剤が添加されてもよい。上記界面活性剤としては、例えば高級アルコールサルフェート（Ｎａ塩またはアミン塩）、ポリオキシエチレンアルキルエーテル硫酸ナトリウム、アルキルアリルスルフォン酸塩（Ｎａ塩またはアミン塩）、アルキルジフェニルエーテルジスルホン酸ナトリウム、アルキルナフタレンスルフォン酸塩（Ｎａ塩またはアミン塩）、アルキルナフタレンスルフォン酸塩縮合物、アルキルフォスフェート、ジアルキルスルフォサクシネート、ロジン石鹸、脂肪酸塩（Ｎａ塩またはアミン塩）等のアニオン性界面活性剤、ポリオキシエチレンアルキルエーテル、ポリオキシエチレンアルキルフェノールエーテル、ポリオキシエチレンアルキルエステル、ポリオキシエチレンアルキルアミン、ポリオキシエチレンアルキロールアミン、ポリオキシエチレンアルキルアマイド、ソルビタンアルキルエステル、ポリオキシエチレンソルビタンアルキルエステル等のノニオン性界面活性剤、オクタデシルアミンアセテート、イミダゾリン誘導体アセテート、ポリアルキレンポリアミン誘導体またはその塩、オクタデシルトリメチルアンモニウムクロライド、トリメチルアミノエチルアルキルアミドハロゲニド、アルキルピリジニウム硫酸塩、アルキルトリメチルアンモニウムハロゲニド等のカチオン性界面活性剤等がある。上記界面活性剤を添加する場合には、上記重合体１００質量部に対し、通常上記界面活性剤を４０質量部以下の量で添加するが、スプレーによる泡立ちを最小限にとどめるには、０．５質量部以下、望ましくは０．３質量部以下、更に望ましくは０．１質量部以下の量で添加する。
【００２２】
また更に本発明の洗浄剤には無機塩が添加されてもよい。該無機塩としては、例えば硫酸カリウム、硫酸ナトリウム、硫酸マグネシウム等の硫酸塩、塩化カリウム、塩化ナトリウム、塩化マグネシウム、塩化カルシウム等の塩酸塩、燐酸カリウム、燐酸ナトリウム等の燐酸塩等が例示される。該無機塩は通常本発明のビニル重合体または共重合体１００質量部に対して４０〜８０質量部添加される。
【００２３】
上記無機塩を添加しても本発明の洗浄剤の洗浄力は向上する。特に望ましい無機塩としては硫酸ナトリウムがある。
【００２４】
また更に本発明の洗浄剤には蛋白分解酵素、澱粉分解酵素、油脂分解酵素等の酵素が添加されてもよい。該酵素の添加量は通常本発明のビニル重合体または共重合体１００質量部に対して１質量部以上添加される。
【００２５】
また更に本発明の洗浄剤には無機粉末が添加されてもよい。該無機粉末としては、例えばベントナイト、ダイカライト、ゼオライト、パーライト、タルク、炭酸カルシウム、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化チタン、酸化鉄、酸化亜鉛、アルミナ、シリカ、ケイ藻土、ドロマイト、石膏、クレー、マイカ、カーボン繊維、ケイ酸カルシウム、ホワイトカーボン、カーボンブラック、鉄粉、アルミニウム粉、石粉、高炉スラグ、フライアッシュ、ジルコニア粉等が例示される。該無機粉末は通常本発明のビニル重合体または共重合体１００質量部に対して０．３〜２０質量部配合される。
【００２６】
また更に本発明の洗浄剤には精油が添加されてもよい。該精油としては、アネトール、アニス油、オレンジ油（リモネン）、カシア油、ケラニオール、サフロール、シトラール、シトロネラール、シネオール、ショウノウ、ヘノポジ油、ボルネオール、メントール、ラベンダー油、レモン油等が例示される。
上記精油は本発明の洗浄剤に芳香を付与し、かつ油性の汚れに対する洗浄力を向上せしめ、その上殺菌、消毒、防腐、駆虫、殺虫等の効果を付与する。
該精油は通常本発明のビニル重合体または共重合体１００質量部に対して通常１〜１０質量部配合される。
【００２７】
また更に本発明の洗浄剤には色料、香料、殺菌剤、防かび剤、漂白剤、キレート化剤等が添加されても良い。上記添加剤は二種以上混合して添加されてもよい。
【００２８】
本発明の洗浄剤は主として水溶液として提供されるが、溶剤としては水以外メタノール、エタノール、イソプロパノール、エチレングリコール、プロピレングリコール、グリセリン、アセトン、テトラヒドロフラン、ピロリドン、エチルカルビトール等の水溶性の溶剤あるいは該溶剤と水との混合溶剤が使用されてもよい。水溶液中の上記重合体の濃度は通常５〜５０質量％とされる。
【００２９】
本発明の洗浄剤は使用に際しては、上記重合体の濃度として通常１００〜１５０ｐｐｍ程度に水で希釈する。上記したように本発明の洗浄剤は上記重合体濃度が１２０ｐｐｍ水溶液においてｐＨ５〜１０、望ましくは６〜９になるように調節されているから、上記使用濃度１００〜１５０ｐｐｍにおいてもｐＨは大体５〜１０望ましくは６〜９であり、好ましい洗浄力を示すと共に、腐食性も殆どなく、また泡立ちも少ない。
本発明を更に具体的に説明するための実施例を以下に記載する。
【実施例１】
【００３０】
（重合体１の製造）
アクリル酸３０質量部、脱イオン水７０質量部を攪拌機、コンデンサーを付した反応器に仕込み、過硫酸カリウム０．１５質量部を投入して７０℃に加温、攪拌して６時間反応させることによって、質量平均分子量１５００００のポリアクリル酸（重合体１）の水溶液を作成した。
アクリル酸の分子量                      ７２
カルボキシル基（−ＣＯＯＨ）の分子量    ４５
重合体中のカルボキシル基含有量    ４５／７２＝６２．５質量％
【実施例２】
【００３１】
（重合体２の製造）
メタクリル酸３０質量部、脱イオン水７０質量部を攪拌機、コンデンサーを付した反応器に仕込み、過硫酸カリウム０．１質量部を投入して７５℃に加温、攪拌して６時間反応させることによって、質量平均分子量１７００００のポリメタクリル酸（重合体２）の水溶液が得られた。
メタクリル酸の分子量                    ８６
カルボキシル基（−ＣＯＯＨ）の分子量    ４５
重合体中のカルボキシル基含有量    ４５／８６＝５２．３３質量％
【実施例３】
【００３２】
（重合体３の製造）
スチレンスルホン酸３０質量部、エチルアクリレート１０質量部、メタノール５０質量部、水１０質量部を実施例１と同様な反応器に仕込み、ターシャリーブチルハイドロパーオキサイド０．２質量部を投入して７０℃に加温、攪拌して８時間反応させることによって、質量平均分子量８００００のスチレンスルホン酸−エチルアクリレート共重合体（重合体２）の溶液が得られた。
スチレンスルホン酸の分子量              １８４×７５＝１３８００
エチルアクリレートの分子量              １００×２５＝  ２５００
合計          １６３００
スルホン酸（−ＳＯ3 Ｈ）の分子量        ８０×７５＝６０００
重合体中のスルホン酸基含有量  ６０００／１６３００＝３６．８１質量％
【実施例４】
【００３３】
（重合体４の製造）
ジメチルアミノエチルメタクリレート４０質量部、エタノール５０質量部、水１０質量部を実施例１と同様な反応器に仕込み、ターシャリーブチルハイドロパーオキサイド０．２質量部を投入して８０℃に加温、攪拌して１０時間反応させることによって、質量平均分子量２０００００の重合体溶液が得られた。
上記重合体溶液に塩化メチル８質量部を投入し、７０℃に加温して４時間反応させることにより、４級化反応を行ない重合体３の溶液を得た。
ジメチルアミノエチルメタクリレートの分子量            １５７
ＣＨ3 
｜
第４級アンモニウム塩（−Ｎ−ＣＨ3)Ｃｌの分子量          ９４．５
｜  
ＣＨ3 
重合体中の第４級アンモニウム塩含有量  ９４．５／１５７＝６０．１９質量％
【実施例５】
【００３４】
（洗浄液の調製）
表１の組成の洗浄剤を調製した。
【００３５】
【表１】
2006001985.tif 000002
【００３６】
各重合体水溶液としては、カセイソーダーによってｐＨ８に調節した３０質量％水溶液を使用した。
表中の各成分の質量部数は、水溶液としての部数である。
比較洗浄剤としてはポリオキシエチレンアルキルエーテル１５質量％水溶液をカセイソーダーによってｐＨ１２〜１３に調節した洗浄剤を使用した。
【００３７】
（洗浄試験）
試験材料・・・・プラスチック製換気扇の羽根、金属製換気扇羽根を使用する。
試験方法・・・・各換気扇の羽根に、各汚れ成分をコーティングしたものを試験材とし                  て使用。
ヤニ、手垢・・・たばこのヤニとほこりを混合したものを使用し、洗浄剤組成物をウエ                  スに含ませ試験材を拭き、汚れの落ち具合を観察した。
○─汚れが落ちているもの
△─少し汚れが残っているもの
×─汚れがほとんど残っているもの
油・・・・・・・天ぷら油を１８０℃に加熱したもの
ウエスに含ませ試験材を拭き、汚れの落ち具合を観察した。
○─汚れが落ちているもの
△─少し汚れが残っているもの
×─汚れがほとんど残っているもの
油２・・・・・・天ぷら油を１８０℃に加熱したもの
汚れの上に各洗浄剤組成物を２cc滴下し、５分間放置後水洗して汚れ                  の落ち具合を観察した。
ウエスに含ませ試験材を拭き、汚れの落ち具合を観察した。
○─汚れが落ちているもの
△─少し汚れが残っているもの
×─汚れがほとんど残っているもの
【００３８】
（拭き取り試験）
洗浄剤組成物をハンドスプレーにて噴霧した時の泡の状況を観察し、水濡れしたウエスで拭き取った時の拭き取り状況を観察した。
○─泡が立たなく拭き取りが容易
△─少し泡立つが拭き取りが容易
×─泡立ち数回拭き取りを要する
【００３９】
（撥水・撥油性試験）
洗浄剤組成物をハンドスプレーにて噴霧し、ウエスで拭き取った後に、水滴または天ぷら油を滴下してハジキの状況を観察した。
ウエスに含ませ試験材を拭き、汚れの落ち具合を観察した。
○─ハジキが良いもの
△─少しハジキが悪いもの
×─ハジキが無いもの
【００４０】
（経時汚染試験）
換気扇の羽根一枚毎に洗浄剤の種類を変更して洗浄し、実際に取付け羽根の汚れ具合を１ケ月後に観察した。汚れの付着量が少ないものから順位１〜５を付けた。
【００４１】
洗浄試験の結果は表２に示される。
【表２】
2006001985.tif 000003
【００４２】
表２によれば、本発明の洗浄剤は従来のアルカリ洗浄剤（比較洗浄剤１）と同等もしくはそれ以上の洗浄力を有し、アニオン系界面活性剤を主体とする洗浄剤（比較洗浄剤２）よりも大きい洗浄力を有する。
【００４３】
拭き取り試験の結果は表３に示される。
【表３】
2006001985.tif 000004
【００４４】
表３によれば、本発明の洗浄剤はすべて拭き取り容易であるが、比較洗浄剤１、２はいずれも泡立ち数回の拭き取りが必要になる。
【００４５】
撥水・撥油性試験の結果は表４に示される。
【表４】
2006001985.tif 000005
【００４６】
表４によれば、本発明の洗浄剤は撥水・撥油性ともに比較洗浄剤１、２よりも優れている。
【００４７】
経時汚染試験の結果は表５に示される。
【表５】
2006001985.tif 000006
【００４８】
表５によれば、経時汚染性は比較洗浄剤１よりも若干劣るものの、比較洗浄剤２よりははるかに良好である。
【００４９】
総合的にみて、本発明の試料は、洗浄力においてアルカリ洗浄剤である比較洗浄剤１と同等あるいはそれ以上の性能を示し、また拭き取り性、撥水・撥油性においては、比較洗浄剤１よりも優れており、更に経時汚染性も比較洗浄剤２よりも明らかに小さい。
【実施例６】
【００５０】
浴槽用洗浄剤水溶液を表６の処方で調製した。
【００５１】
【表６】
2006001985.tif 000007
【００５２】
上記洗浄剤は市販の浴槽用洗浄剤と同等の洗浄力を有し、かつ低発泡性であるからすすぎが簡単であり、起泡剤を添加すれば泡立ちが任意に調節出来る。
【産業上の利用可能性】
【００５３】
本発明の洗浄剤は、洗浄性、拭き取り性に優れ、撥水・撥油性が大きく、経時汚染性が小さいので、床、壁等の住居、換気扇、電子レンジ、ガスコンロ、電磁調理器等の台所備品、浴槽等、その他種々の調度類の洗浄に有用である。